(57)【要約】【課題】中空柱の内部の金属を腐食しないように中空柱の内部に侵入した水を導くように集めて中空柱の底に排水する。【解決手段】朝顔型に開いた漏斗の開口部で中空柱内に侵入する水を集め、漏斗の小径の筒口から筒体を通して排水部材の受水口から排水部材内に導き、排水部材の広口部から中空柱の底に排水する。【選択図】        図１
2010065444.tif 000002
【特許請求の範囲】
【請求項１】
下部の所定長部分が地中に埋設されて地上に立設された中空柱の内部に侵入する水を集めて中空柱の底から排水する中空柱の排水機構であって、
中空柱内に侵入する水を集めるように朝顔型に開いた開口部が中空柱の上部を向いて開口部の周縁部が中空柱の内壁に当接し、開口部から下方に向かってテーパ状に萎んで中空柱の中心軸に配設される小径の筒口から開口部で集めた水を排出するように中空柱の内部に配設される漏斗と、
中空柱の中心軸に沿って配設されるように漏斗の筒口に上端が連結され、下端が中空柱の底部まで延出し、漏斗の筒口から排出される水を中空柱の底部まで通過させる筒体と、
この筒体の下部に取り付け、筒体の下部を中空柱の中心軸に配設するガイド棒固定用治具と、
筒体の下端に上端の小径の受水口が連結され、下端の広口部が中空柱の底に密着するように配設され、広口部を構成する周壁には水が通過する多数の孔が形成され、受水口および多数の孔から入ってくる水を広口部から中空柱の底に排出する排水部材と
を有することを特徴とする中空柱の排水機構。
【請求項２】
前記筒体は、
漏斗の筒口に連結パイプを介して上端が連結される上部パイプと、
この上部パイプの下端に上端が挿入されて連結される中間パイプと、
この中間パイプと同径であって、中間パイプの下端に連結パイプを介して上端が連結される長尺ガイドパイプと、
この長尺ガイドパイプと同径であって、長尺ガイドパイプの下端に連結パイプを介して上端が連結され、下端が前記排水部材の受水口に連結される下部ガイドパイプと
を有することを特徴とする中空柱の排水機構。
【請求項３】
前記ガイド棒固定治具は、
筒体に対して放射状にかつ中空柱の周方向で均等に設けられた複数組の上腕部材と下腕部材を有し、
各組の上腕部材の下端部と下腕部材の上端部が揺動自在に軸支され、各組の下腕部材の下端部は筒体に固定的に取り付けられた固定連結部材に揺動自在に取り付けられ、各組の上腕部材の上端部は筒体に対して上下方向に可動自在に取り付けられた可動連結部材に揺動自在に取り付けられ、各組の上腕部材の上端部が上方に移動した場合には、各組の上腕部材と下腕部材は真直ぐ伸びて筒体に寄り添うように細長く畳まれ、各組の上腕部材の上端部が下方に移動した場合には、各組の上腕部材の下端部と下腕部材の上端部の連結部は屈曲して中空柱の内壁に向かって延出し、各組の連結部が中空柱の内壁に当接した場合に筒体を中空柱の中心軸に配設する
ことを特徴とする請求項１または２記載の中空柱の排水機構。
【請求項４】
請求項１記載の排水機構を中空柱内に組み込む組込方法であって、
漏斗を配設したい部分よりも少し下の中空柱の側部に中空柱の長手方向に細長い側部開口を形成する側部開口形成工程と、
筒体の下端に排水部材を連結する排水部材連結工程と、
筒体の下端の排水部材を連結された部分の真上にガイド棒固定用治具を取り付けるガイド棒固定用治具取付工程と、
排水部材およびガイド棒固定用治具を取り付けられた筒体をガイド棒固定用治具を細長く畳んだ状態で排水部材側を下にして側部開口から斜めに中空柱内に挿入する挿入工程と、
この挿入した筒体の下端の排水部材が中空柱の底に当接するまで中空柱内を徐々に下降させる下降工程と、
この下降に従って細長く畳んだ状態のガイド棒固定用治具が中空柱の内壁に向かって徐々に開き、筒体の下端の排水部材が中空柱の底に当接すると、排水部材が取り付けられている筒体の下部はガイド棒固定用治具が開いて中空柱の内壁に当接することで中空柱の中心軸に配設される中心配設工程と、
漏斗を縦にして側部開口から中空柱内に挿入し、中空柱内で正常な水平状態に戻す漏斗挿入工程と、
水平状態に戻した漏斗の周縁部を中空柱の内壁に当接させるようにしながら漏斗の筒口に筒体の上端を連結する筒体連結工程と
を有することを特徴とする排水機構の中空柱への組込方法。
【発明の詳細な説明】
【技術分野】
【０００１】
本発明は、下部の所定長部分が地中に埋設されて地上に立設されたコンクリート製電柱や鋼管柱等の中空柱の内部に侵入する水を集めて中空柱の底に排水する中空柱の排水機構および該排水機構の中空柱への組込方法に関する。
【背景技術】
【０００２】
コンクリート製電柱や鋼管柱等の中空柱は、その上端部を蓋などで閉塞されているが、完全に閉塞されているとは限らず、蓋をした隙間などから雨水などが中空柱内に侵入する。また、コンクリート製電柱の外周面にはアース孔や足場ボルト装着用の孔等が設けられていることが多いが、このような孔からも雨水が中空柱内に侵入する。
【特許文献１】特開２００７-７７６１３号公報
【発明の開示】
【発明が解決しようとする課題】
【０００３】
上述したように、中空柱内に雨水などが侵入すると、内部に使用されている鉄などの金属が腐食し、中空柱の構造が弱くなるという問題がある。
【０００４】
詳しくは、鋼管柱は全体が金属で構成されているため、特に雨水によって腐食しやすいが、コンクリート製電柱でも外周部は鉄筋の骨組みの上にコンクリートを固めて構成されているものであるため、このコンクリート内の鉄筋が中空柱内に侵入した雨水で腐食する。また、中空柱の内部には補強などのために鉄などの金属が使用されているが、この金属が雨水で腐食するし、また金属で補強された中空柱を更に強く補強するために中空柱の内部にモルタルを投入して金属と一体的に補強することも行なわれるが、中空柱内に雨水が侵入すると、この雨水がモルタル内に染みこんでモルタルの間の金属のところまで侵入し、金属が腐食するという問題がある。
【０００５】
本発明は、上記に鑑みてなされたもので、その目的とするところは、中空柱の内部の金属を腐食しないように中空柱の内部に侵入した水を導くように集めて中空柱の底に排水する中空柱の排水機構および該排水機構の中空柱への組込方法を提供することにある。
【課題を解決するための手段】
【０００６】
上記課題を達成するため、請求項１記載の中空柱の排水機構は、下部の所定長部分が地中に埋設されて地上に立設された中空柱の内部に侵入する水を集めて中空柱の底から排水する中空柱の排水機構であって、中空柱内に侵入する水を集めるように朝顔型に開いた開口部が中空柱の上部を向いて開口部の周縁部が中空柱の内壁に当接し、開口部から下方に向かってテーパ状に萎んで中空柱の中心軸に配設される小径の筒口から開口部で集めた水を排出するように中空柱の内部に配設される漏斗と、中空柱の中心軸に沿って配設されるように漏斗の筒口に上端が連結され、下端が中空柱の底部まで延出し、漏斗の筒口から排出される水を中空柱の底部まで通過させる筒体と、この筒体の下部に取り付け、筒体の下部を中空柱の中心軸に配設するガイド棒固定用治具と、筒体の下端に上端の小径の受水口が連結され、下端の広口部が中空柱の底に密着するように配設され、広口部を構成する周壁には水が通過する多数の孔が形成され、受水口および多数の孔から入ってくる水を広口部から中空柱の底に排出する排水部材とを有することを要旨とする。
【０００７】
請求項１記載の中空柱の排水機構では、朝顔型に開いた漏斗の開口部で中空柱内に侵入する水を集め、漏斗の小径の筒口から筒体を通して排水部材の受水口から排水部材内に導き、排水部材の広口部から中空柱の底に排水するため、電柱内に侵入した雨水などが電柱内の金属を使用している部位に流れて、金属が腐食し、電柱の構造が弱くなることを防止することができる。
【０００８】
請求項２記載の中空柱の排水機構は、前記筒体が、漏斗の筒口に連結パイプを介して上端が連結される上部パイプと、この上部パイプの下端に上端が挿入されて連結される中間パイプと、この中間パイプと同径であって、中間パイプの下端に連結パイプを介して上端が連結される長尺ガイドパイプと、この長尺ガイドパイプと同径であって、長尺ガイドパイプの下端に連結パイプを介して上端が連結され、下端が前記排水部材の受水口に連結される下部ガイドパイプとを有することを要旨とする。
【０００９】
請求項２記載の中空柱の排水機構では、筒体が漏斗の筒口に連結した上部パイプ、この上部パイプに挿入されて連結された中間パイプ、この中間パイプに連結された長尺ガイドパイプ、この長尺ガイドパイプに上端が連結され、下端が排水部材の受水口に連結された下部ガイドパイプで構成されるため、長い筒体でも短い複数のパイプに分割して、中空柱内に簡単に挿入できる。
【００１０】
請求項３記載の中空柱の排水機構は、前記ガイド棒固定治具が、筒体に対して放射状にかつ中空柱の周方向で均等に設けられた複数組の上腕部材と下腕部材を有し、各組の上腕部材の下端部と下腕部材の上端部が揺動自在に軸支され、各組の下腕部材の下端部は筒体に固定的に取り付けられた固定連結部材に揺動自在に取り付けられ、各組の上腕部材の上端部は筒体に対して上下方向に可動自在に取り付けられた可動連結部材に揺動自在に取り付けられ、各組の上腕部材の上端部が上方に移動した場合には、各組の上腕部材と下腕部材は真直ぐ伸びて筒体に寄り添うように細長く畳まれ、各組の上腕部材の上端部が下方に移動した場合には、各組の上腕部材の下端部と下腕部材の上端部の連結部は屈曲して中空柱の内壁に向かって延出し、各組の連結部が中空柱の内壁に当接した場合に筒体を中空柱の中心軸に配設することを要旨とする。
【００１１】
請求項３記載の中空柱の排水機構では、ガイド棒固定治具は複数組の上腕部材と下腕部材が真直ぐ伸びて筒体に寄り添うように細長く畳まれた状態と複数組の上腕部材と下腕部材の連結部が屈曲して中空柱の内壁に向かって延出した状態となり、連結部が屈曲して中空柱の内壁に向かって延出した状態では連結部が中空柱の内壁に当接して筒体を中空柱の中心軸に配設するため、筒体を中空柱の中心軸に一致するように容易に配設できるとともに、上腕部材と下腕部材が真直ぐ伸びて筒体に寄り添うように細長く畳まれた状態では、中空柱の狭い側部開口から中空柱内にガイド棒固定用治具を容易に挿入することができる。
【００１２】
請求項４記載の排水機構の中空柱への組込方法は、請求項１記載の排水機構を中空柱内に組み込む組込方法であって、漏斗を配設したい部分よりも少し下の中空柱の側部に中空柱の長手方向に細長い側部開口を形成する側部開口形成工程と、筒体の下端に排水部材を連結する排水部材連結工程と、筒体の下端の排水部材を連結された部分の真上にガイド棒固定用治具を取り付けるガイド棒固定用治具取付工程と、排水部材およびガイド棒固定用治具を取り付けられた筒体をガイド棒固定用治具を細長く畳んだ状態で排水部材側を下にして側部開口から斜めに中空柱内に挿入する挿入工程と、この挿入した筒体の下端の排水部材が中空柱の底に当接するまで中空柱内を徐々に下降させる下降工程と、この下降に従って細長く畳んだ状態のガイド棒固定用治具が中空柱の内壁に向かって徐々に開き、筒体の下端の排水部材が中空柱の底に当接すると、排水部材が取り付けられている筒体の下部はガイド棒固定用治具が開いて中空柱の内壁に当接することで中空柱の中心軸に配設される中心配設工程と、漏斗を縦にして側部開口から中空柱内に挿入し、中空柱内で正常な水平状態に戻す漏斗挿入工程と、水平状態に戻した漏斗の周縁部を中空柱の内壁に当接させるようにしながら漏斗の筒口に筒体の上端を連結する筒体連結工程とを有することを要旨とする。
【００１３】
請求項４記載の排水機構の中空柱への組込方法では、中空柱に側部開口を形成し、筒体の下端に排水部材を連結し、この排水部材の真上にガイド棒固定用治具を取り付け、ガイド棒固定用治具を細長く畳んだ状態で側部開口から斜めに中空柱内に挿入し、排水部材が中空柱の底に当接するまで中空柱内を徐々に下降させ、ガイド棒固定用治具が開いて中空柱の内壁に当接することで筒体を中空柱の中心軸に配設してから、漏斗を縦にして側部開口から挿入し、中空柱内で正常な水平状態に戻し、水平に戻した漏斗の周縁部を中空柱の内壁に当接させるようにしながら漏斗の筒口に筒体の上端を連結するため、長い筒体ばかりでなく、幅広のガイド棒固定用治具や漏斗でも、狭い中空柱内に簡単に挿入できるとともに、電柱内に侵入した雨水などが電柱内の至る所にに流れて、金属が腐食し、電柱の構造が弱くなることを防止することができる。
【発明の効果】
【００１４】
本発明の中空柱の排水機構によれば、朝顔型に開いた漏斗の開口部で中空柱内に侵入する水を集め、漏斗の小径の筒口から筒体を通して排水部材の受水口から排水部材内に導き、排水部材の広口部から中空柱の底に排水するので、電柱内に侵入した雨水などが電柱内の金属を使用している部位に流れて、金属が腐食し、電柱の構造が弱くなることを防止することができる。
【００１５】
また、本発明の排水機構の中空柱への組込方法によれば、中空柱に側部開口を形成し、筒体に排水部材を連結し、この排水部材の真上にガイド棒固定用治具を取り付け、ガイド棒固定用治具を細長く畳んだ状態で側部開口から斜めに中空柱内に挿入し、排水部材が中空柱の底に当接するまで徐々に下降させ、ガイド棒固定用治具が開いて中空柱の内壁に当接することで筒体を中空柱の中心軸に配設してから、漏斗を縦にして側部開口から挿入し、中空柱内で水平に戻した漏斗の周縁部を中空柱の内壁に当接させながら漏斗の筒口に筒体の上端を連結するので、長い筒体ばかりでなく、幅広のガイド棒固定用治具や漏斗でも、狭い中空柱内に簡単に挿入できるとともに、電柱内に侵入した雨水などが電柱内の至る所にに流れて、金属が腐食し、電柱の構造が弱くなることを防止することができる。
【発明を実施するための最良の形態】
【００１６】
以下、図面を用いて、本発明を実施するための最良の形態(以下、実施形態と称する)を説明する。
【００１７】
図１は、本発明の一実施形態に係わる中空柱の排水機構を組み込んだ中空柱であるコンクリート製電柱の内部構造を示す図である。同図に示す電柱１は、上部が省略されて図示されていないが、全長が例えば１６ｍほどあり、その最下端１ａから約２．６メートルほどの下部１ｂが地中１０に埋設されて立設され、地上には残りの１３．４ｍほどの部分が現れているが、その外周部は鉄筋とコンクリートにより形成される筒状である。
【００１８】
電柱１は、地中１０に埋設された地中部分の下部１ｂと地上に立設された地上部分との境の地際から地上約２メートルの側面に例えば幅６センチメートル、長さ４０センチメートル程度の側部開口１ｃが電柱１の長手方向に沿って形成されている。
【００１９】
本実施形態の中空柱の排水機構は、図１に示すように、側部開口１ｃの少し上の電柱１内に設けられた漏斗１１を有する。この漏斗１１は、図４，５に示すように、朝顔型に開いた開口部１１ａと、この開口部１１ａから下方に向かってテーパ状に萎んで電柱１の中心軸に配設される小径の筒口１１ｂとを有する。
【００２０】
漏斗１１は、図１に示すように、開口部１１ａの周縁部が電柱１の内壁に当接するように配設され、電柱１内を上方から流れてくる雨水などを開口部１１ａで集め、小径の筒口１１ｂから下方に排出するようになっている。
【００２１】
この筒口１１ｂの下端には、上部パイプ１３の上端が連結されている。上部パイプ１３は、図６に斜視図で示すように、その上端に小径の連結パイプ１５を挿入され、この連結パイプ１５により上部パイプ１３の上端が筒口１１ｂの下端に連結されている。すなわち、図２に詳しく断面を示すように、小径の連結パイプ１５が筒口１１ｂの下端と上部パイプ１３の上端に挿入され、この連結パイプ１５に対して小ねじ１７、１９を用いて、漏斗１１の筒口１１ｂおよび上部パイプ１３が固定されている。
【００２２】
また、上部パイプ１３の下端には、図１、２に示すように、小径の中間パイプ２１の上端が挿入されて連結され、両者は小ねじ２３で固定されている。中間パイプ２１の下端は、図７にも示すように、連結パイプ２５を介して中間パイプ２１と同径の長尺ガイドパイプ２７の上端に連結されている。連結パイプ２５は、小ねじ２８、２９を用いて、中間パイプ２１および長尺ガイドパイプ２７を固定している。
【００２３】
長尺ガイドパイプ２７の下端は、図３に示すように、図７に示した連結パイプ２５と同様な連結パイプ３１を介して長尺ガイドパイプ２７と同径の下部ガイドパイプ３３の上端に連結されている。この下部ガイドパイプ３３の下端は、電柱１の底近くまで伸びている。連結パイプ３１は、小ねじ３５、３７を用いて、長尺ガイドパイプ２７および下部ガイドパイプ３３を固定している。なお、上部パイプ１３、中間パイプ２１、長尺ガイドパイプ２７および下部ガイドパイプ３３は、これらを連結する連結部材や連結パイプとともに筒体を構成しているものである。
【００２４】
電柱１の底近くまで伸びた下部ガイドパイプ３３の下端は、図９に拡大斜視図で示すように、排水部材３９の上方に突出している小径の受水口３９ａの上端に連結され、小ねじ４１で固定されている。排水部材３９は、上部の小径の受水口３９ａに対して下部が大径の広口部３９ｂとなり、この広口部３９ｂの下端の開口部が電柱１の底に密着している。また、排水部材３９の広口部３９ｂを構成する周壁には雨水などが通過する多数の孔３９ｃが形成され、受水口３９ａおよび多数の孔３９ｃから広口部３９ｂ内に流入する水を電柱１の底に排出するようになっている。
【００２５】
なお、広口部３９ｂの周壁に形成された多数の孔３９ｃは、電柱１内において排水部材３９の外側の周囲に溜まった水を広口部３９ｂ内に導いて電柱１の底に排出するとともに、逆に受水口３９ａから広口部３９ｂ内に流入して溜まって溢れた水を広口部３９ｂから多数の孔３９ｃを介して排水部材３９の外の電柱１内に流出させるためにも役立つものである。
【００２６】
排水部材３９の真上には、ガイド棒固定用治具４３が取り付けられ、このガイド棒固定用治具４３により長尺ガイドパイプ２７、下部ガイドパイプ３３および排水部材３９を電柱１の中心軸に一致するように配設している。ガイド棒固定用治具４３は、図３および図１０，１１に示すように、電柱１の中心軸となる長尺ガイドパイプ２７、下部ガイドパイプ３３に対して放射状にかつ電柱１の周方向で均等に設けられた複数組、本実施形態では３組の上腕部材４３ａと下腕部材４３ｂとを有する。
【００２７】
このガイド棒固定用治具４３は、各組の上腕部材４３ａの下端部と下腕部材４３ｂの上端部が揺動自在に軸支されている。また、各組の下腕部材４３ｂの下端部は、下部ガイドパイプ３３に挿入され小ねじ４７で下部ガイドパイプ３３に固定された固定連結部材４５の上側部に張り出した突起部４５ａに揺動自在に取り付けられている。
【００２８】
なお、図８は、この固定連結部材４５を逆さに示しているものである。すなわち、図８に示す部材は、図８に示した状態に対して逆さの状態では固定連結部材４５としてガイド棒固定用治具４３の下端に取り付けられるが、以下に説明するようにガイド棒固定用治具４３の上端に取り付けられる場合には、図８に示す状態で、可動連結部材４９としてガイド棒固定用治具４３の上端に取り付けられる。
【００２９】
更に、各組の上腕部材４３ａの上端部は、長尺ガイドパイプ２７に対して上下方向に可動自在に取り付けられた図８に示すような可動連結部材４９の下側部に張り出した突起部４９ａに揺動自在に取り付けられている。
【００３０】
そして、ガイド棒固定用治具４３は、各組の上腕部材４３ａの上端部が可動連結部材４９とともに長尺ガイドパイプ２７に沿って上方に移動した場合には、各組の上腕部材４３ａと下腕部材４３ｂは、図１１に示すように、真直ぐ伸びて閉じ、長尺ガイドパイプ２７、下部ガイドパイプ３３に寄り添うように細長く畳まれる。また逆に、各組の上腕部材４３ａの上端部が可動連結部材４９とともに長尺ガイドパイプ２７に沿って下方に移動した場合には、各組の上腕部材４３ａの下端部と下腕部材４３ｂの上端部の連結部５１は、図１、図１０に示すように、屈曲して電柱１の内壁に向かって延出し、各組の連結部５１が電柱１の内壁に当接した場合に長尺ガイドパイプ２７、下部ガイドパイプ３３、排水部材３９を電柱１の中心軸に一致するように配設することになる。
【００３１】
上述したように、本実施形態の排水機構を電柱１内に組み込むことにより、すなわち電柱１の側部開口１ｃの少し上に漏斗１１を配設し、この漏斗１１の筒口１１ｂに上部パイプ１３、中間パイプ２１、長尺ガイドパイプ２７、下部ガイドパイプ３３からなる筒体を取り付け、この筒体の下端に排水部材３９を取り付けて構成される排水機構を中空柱である電柱１内に組み込むことにより、電柱１の蓋をした頂部開口の隙間や電柱１の外周面のアース孔や足場ボルト装着用の孔などから電柱１内に流入し、電柱１内を上方から流れてくる雨水などを漏斗１１の開口部１１ａで集め、上部パイプ１３、中間パイプ２１、長尺ガイドパイプ２７、下部ガイドパイプ３３からなる筒体を通過させ、排水部材３９に集めて排水部材３９の広口部３９ｂから電柱１の底に排出するというように電柱１内に侵入した雨水などの流れを制御することができ、これにより電柱１内に侵入した雨水などが電柱１内の金属を使用している部位に流れて、金属が腐食し、電柱１の構造が弱くなることを防止することができる。
【００３２】
次に、図１に示したように、排水機構を組み込んだ電柱１の補強について図１２を参照して説明する。
【００３３】
図１２においては、排水機構の上部パイプ１３、中間パイプ２１、長尺ガイドパイプ２７、下部ガイドパイプ３３からなる筒体を電柱１の中心軸として利用し、電柱１の地際を中心に複数本の補強用棒状部材、具体的には６本のアラミドロッド１２１と１２本のPC鋼線１２３からなる１８本の補強用棒状部材を用いて補強している。
【００３４】
この６本のアラミドロッド１２１と１２本のPC鋼線１２３からなる１８本の補強用棒状部材は、電柱１の周方向に等角度で均等に配設されるが、その中心には、電柱１の中心軸を確定するために排水機構の前記上部パイプ１３、中間パイプ２１、長尺ガイドパイプ２７、下部ガイドパイプ３３からなる筒体が中心軸確定用のガイド棒として利用されている。なお、この筒体からなるガイド棒に対して符号１３１を付与して説明する。
【００３５】
６本のアラミドロッド１２１、１２本のPC鋼線１２３およびガイド棒１３１は、例えばプラスチックなどからなる複数、本実施形態では６個の均等配置治具１４１に挿通され、これによりガイド棒１３１を中心にして６本のアラミドロッド２１と１２本のPC鋼線１２３を電柱１の周方向に等角度で均等に配設するようになっている。
【００３６】
各均等配置治具１４１は、詳しくは図１３に示すように、中心部にガイド棒１３１が挿通される中心穴１４１ｂが形成され、この中心穴１４１ｂから放射状に延出する連結部の先端に１８本の補強用棒状部材が挿通されて保持されるリング状保持部１４１ａが１８個形成されている。
【００３７】
また、各リング状保持部１４１ａの外側中央には、ねじ孔１４１ｇが形成されているが、このねじ孔１４１ｇは、リング状保持部１４１ａに挿入されたアラミドロッド１２１およびＰＣ鋼線１２３に対して各ねじ孔１４１ｇにねじを螺合し、このねじの先端をアラミドロッド１２１やＰＣ鋼線１２３に当接させて強く締め付けることによりアラミドロッド１２１およびＰＣ鋼線１２３をリング状保持部１４１ａに固定するためのものである。
【００３８】
各均等配置治具１４１の１８個のリング状保持部１４１ａは、電柱１の周方向において等角度で均等に配設されているが、この１８個のリング状保持部１４１ａに対して６本のアラミドロッド１２１と１２本のPC鋼線１２３を電柱１の周方向において均等に挿入するために、２本のＰＣ鋼線１２３毎に１本のアラミドロッド１２１を配設する。すなわち、１本のアラミドロッド１２１をリング状保持部１４１ａに挿入したら、その隣りの２個のリング状保持部１４１ａには２本のＰＣ鋼線１２３を挿入し、この２本のＰＣ鋼線１２３の隣りには１本のアラミドロッド１２１を挿入するというようにアラミドロッド１２１とＰＣ鋼線１２３をリング状保持部１４１ａに偏らないように均等に挿入配設する。
【００３９】
更に、図１２に示すように、側部開口１ｃの近傍には、別の構造のガイド棒固定用治具２００が設けられ、このガイド棒固定用治具２００の中心にはガイド棒１３１、すなわち長尺ガイドパイプ２７が挿入され、これによりガイド棒１３１である長尺ガイドパイプ２７を電柱１の中心軸に合わせるようになっている。
【００４０】
ガイド棒固定用治具２００は、図１４に示すように、ガイド棒１３１である長尺ガイドパイプ２７が挿通される中心孔２０１ａが中央部２０１ｂの真中に形成される中央部材２０１を有する。この中央部材２０１は、その中央部２０１ｂから等角度で四方に放射状に伸長し、電柱１の内周面に当接している複数、本実施形態では４本の腕部２０３を有する。
【００４１】
これらの腕部２０３は、各々基部が中央部２０１ｂに一体的に形成され、先端部がフォーク状に２つに分岐したフォーク部２０３ｂを備え、このフォーク部２０３ｂの中央に長手方向に細長い長穴２０３ｅが形成された固定腕部２０３ａと、該固定腕部２０３ａのフォーク部２０３ｂの分岐した間に挟まれて伸縮可能に保持された伸縮可能腕部２０３ｃとを有する。
【００４２】
更に詳しくは、伸縮可能腕部２０３ｃは、同形状の二枚の部材を重ねて形成され、この重ねられた二枚の部材の中央には長手方向に細長い長穴２０３ｄが形成されている。そして、固定腕部２０３ａのフォーク部２０３ｂの長穴２０３ｅから伸縮可能腕部２０３ｃの長穴２０３ｄを貫通して二本のねじ２０５ａ、２０５ｂが取り付けられ、この２本のねじ２０５ａ、２０５ｂを基軸に伸縮可能腕部２０３ｃが外部に向かうように長穴２０３ｄおよび長穴２０３ｅに沿って伸縮可能に保持されている。
【００４３】
また、固定腕部２０３ａの基部には、別のねじ２０５ｃが固定的に取り付けられ、前記２本のねじ２０５ａ、２０５ｂのうちの一方のねじ２０５ａと別のねじ２０５ｃとの間には、ワイヤ製圧縮ばね２０７が取り付けられ、このワイヤ製圧縮ばね２０７の伸長力により伸縮可能腕部２０３ｃを外側に向かって伸長するように付勢している。この結果、伸縮可能腕部２０３ｃは、図１４に示すように、長穴２０３ｄ、２０３ｅに沿って外側に向かって長く伸長し、その先端は電柱１の内周面に当接するようになっている。
【００４４】
また更に、同形状の２枚の部材を重ねて形成される伸縮可能腕部２０３ｃの各々の上には、引掛け部２０３ｆが突出して形成されているが、これらの引掛け部２０３ｆには、これらのすべての引掛け部２０３ｆをループ状に一周するように輪ゴムが伸張状態で引っ掛けられ、この輪ゴムの縮退力により各伸縮可能腕部２０３ｃをワイヤ製圧縮ばね２０７の伸長力に抗して中央部２０１ｂの中心孔２０１ａに向かって縮退するように付勢し、各伸縮可能腕部２０３ｃは固定腕部２０３ａのフォーク部２０３ｂの最奥部まで引っ込むようになっている。
【００４５】
このように伸縮可能腕部２０３ｃがフォーク部２０３ｂの最奥部まで引っ込んだ縮退状態でガイド棒固定用治具２００を電柱１内に挿入しても、伸縮可能腕部２０３ｃの先端は、電柱１の内周面に当接することはないが、このような縮退状態でガイド棒固定用治具２００の中心孔２０１ａにガイド棒１３１を挿通しつつガイド棒固定用治具２００を電柱１内に挿入した後、各伸縮可能腕部２０３ｃの引掛け部２０３ｆに引っ掛けられていた輪ゴムを鋏などで切断すると、ガイド棒固定用治具２００の各伸縮可能腕部２０３ｃは、ワイヤ製圧縮ばね２０７の伸張力により電柱１の内周面に向かって伸長し、各伸縮可能腕部２０３ｃの先端は、図１２に示すように電柱１の内周面に当接する。
【００４６】
このようにガイド棒固定用治具２００の各伸縮可能腕部２０３ｃがワイヤ製圧縮ばね２０７の伸張力により伸長して、その各先端が図１２に示すように電柱１の内周面に当接すると、ガイド棒固定用治具２００の中心孔２０１ａに挿通されているガイド棒１３１、すなわち排水機構の筒体を構成する長尺ガイドパイプ２７は、各伸縮可能腕部２０３ｃが中央部２０１ｂから電柱１の内周面に向かって等角度で伸長しているとともにワイヤ製圧縮ばね２０７の伸張力により電柱１の内周面から等しい位置に押圧されるため、電柱１の中心軸に正確に一致するように固定されることになる。
【００４７】
また、図１２に示すように、６本のアラミドロッド１２１と１２本のPC鋼線からなる１８本の補強用棒状部材は、５個の均等配置治具１４１に挿通された部分の間が針金３５１により２箇所ずつで堅固に縛り付けられ、不用意にばらばらにならないようになっている。
【００４８】
以上説明したように、図１に示した構成の排水機構に対して該排水機構の長尺ガイドパイプ２７などの筒体をガイド棒１３１として利用しながらアラミドロッド１２１とＰＣ鋼線１２３からなる複数の補強用棒状部材を均等配置治具１４１で排水機構の周囲に均等に配設することにより電柱１の排水機構の周囲の地際は補強されるが、更に補強を強固にするために、図１２に示すように、電柱１内の底部には砕石４０１が側部開口１ｃから投入され、この砕石４０１の上には更にモルタル４０３が側部開口１ｃから投入される。砕石４０１は、電柱１内の底部においてガイド棒固定用治具４３の上端部が隠れない程度に投入され、またモルタル４０３は、漏斗１１の筒口１１ｂが隠れる程度まで投入され、このモルタル４０３が硬化することにより電柱１は完全に強固に補強されることになる。
【００４９】
次に、図１に示したように構成される排水機構を電柱１内に組み込む組込方法について説明する。
【００５０】
本実施形態の排水機構は、図１に示すように組み立てられた状態のままでは大きく長過ぎて電柱１内に簡単に設置することができないので、分解して少しずつ電柱１の側部開口１ｃから挿入しながら組み込む。
【００５１】
まず、電柱１に側部開口１ｃが形成されていない場合には、漏斗１１を配設したい部分よりも少し下の電柱１の側部に電柱１の長手方向に細長い側部開口１ｃ、例えば幅６センチメートル、長さ４０センチメートル程度の側部開口１ｃを形成する。
【００５２】
それから、図３に示すように、排水部材３９の受水口３９ａの上端を下部ガイドパイプ３３の下端に連結し、下部ガイドパイプ３３にガイド棒固定用治具４３の固定連結部材４５を取り付けるとともに、長尺ガイドパイプ２７の下端にガイド棒固定用治具４３の可動連結部材４９を取り付けてから、長尺ガイドパイプ２７の下端を下部ガイドパイプ３３の上端に連結パイプ３１を介して連結する。
【００５３】
上述した図３に示すように、排水部材３９、下部ガイドパイプ３３、ガイド棒固定用治具４３、長尺ガイドパイプ２７の取付けおよび連結は、詳しくは、次のように行う。
【００５４】
すなわち、排水部材３９の受水口３９ａの上端を下部ガイドパイプ３３の下端に連結した後、下部ガイドパイプ３３の排水部材３９の受水口３９ａを連結した真上に隣接して、ガイド棒固定用治具４３の下端を揺動自在に取り付けた固定連結部材４５を下部ガイドパイプ３３に対して固定的に取り付け、それからガイド棒固定用治具４３の上端を揺動自在に取り付けている可動連結部材４９に長尺ガイドパイプ２７の下端を挿入してから、この長尺ガイドパイプ２７の下端を更に連結パイプ３１に挿入し、この連結パイプ３１により長尺ガイドパイプ２７の下端を下部ガイドパイプ３３の上端に連結して固定する。
【００５５】
この結果、排水部材３９、下部ガイドパイプ３３、ガイド棒固定用治具４３、長尺ガイドパイプ２７が図３に示すように組み立てられる。すなわち、長尺ガイドパイプ２７の下端に下部ガイドパイプ３３を介してガイド棒固定用治具４３と排水部材３９が取り付けられた状態が得られる。なお、この状態では、ガイド棒固定用治具４３は、図１０に示すように、連結部５１が屈曲して張り出している張出し状態にあるので、この張り出したままの状態では、電柱１の側部開口１ｃから電柱１内に挿入できない。従って、ガイド棒固定用治具４３の可動連結部材４９を上方に移動して、ガイド棒固定用治具４３の各上腕部材４３ａ、下腕部材４３ｂが真直ぐ上に伸ばして閉じ、図１１に示すように、細く畳まれた状態に設定する。
【００５６】
このようにガイド棒固定用治具４３が細く畳まれた状態に設定された後、電柱１の側部開口１ｃから排水部材３９をまず電柱１内に挿入し、続いて細く畳まれたガイド棒固定用治具４３を側部開口１ｃから斜めに電柱１内に挿入する。
【００５７】
このように排水部材３９、ガイド棒固定用治具４３が側部開口１ｃから電柱１内に斜めに挿入された後、長尺ガイドパイプ２７を側部開口１ｃから電柱１内に徐々に下降させながら挿入すると、この下降に従ってガイド棒固定用治具４３の各上腕部材４３ａと下腕部材４３ｂの連結部５１が自重で屈曲して電柱１の内壁に当接する。そして、長尺ガイドパイプ２７がすべて電柱１内に挿入され、最下端に取り付けられている排水部材３９が電柱１の底に当接した時には、ガイド棒固定用治具４３の各上腕部材４３ａと下腕部材４３ｂの連結部５１と電柱１の内壁との当接により排水部材３９は電柱１の中心に配設され、またガイド棒１３１を構成する長尺ガイドパイプ２７などからなる筒体も電柱１の中心軸に一致するように配設されることになる。なお、この状態においては、長尺ガイドパイプ２７の上端は、図１に示すように、側部開口１ｃのほぼ真横あたりに位置することになる。
【００５８】
次に、漏斗１１を縦にして、側部開口１ｃから電柱１内に挿入し、電柱１内に入れてから漏斗１１を正常な水平状態に戻す。このように水平状態に戻した漏斗１１を少し上方に移動して、漏斗１１の周縁部を電柱１の内壁に当接させるようにしながら漏斗１１の筒口１１ｂに上部パイプ１３の上端を連結ハ゜イフ゜１５を介して連結する。
【００５９】
次に、上部パイプ１３の下端を中間パイプ２１の上端に連結する。それから、中間パイプ２１を上下動して位置調整しながら、既に電柱１内に挿入され上端が側部開口１ｃの真横あたりに位置している長尺ガイドパイプ２７の上端に中間パイプ２１の下端を連結パイプ２５を介して連結する。以上説明した組込み作業により、本実施形態の漏斗１１、上部パイプ１３、中間パイプ２１、長尺ガイドパイプ２７、下部ガイドパイプ３３、ガイド棒固定用治具４３、排水部材３９からなる排水機構は、図１に示すように、電柱１内に組み込まれることになる。
【００６０】
上述したように、本実施形態の排水機構を電柱１内に組み込むことにより、電柱１内に流入し、電柱１内を上方から流れてくる雨水などを漏斗１１の開口部１１ａで集め、上部パイプ１３、中間パイプ２１、長尺ガイドパイプ２７、下部ガイドパイプ３３からなる筒体を通過させ、排水部材３９に集めて排水部材３９の広口部３９ｂから電柱１の底に排出することができ、これにより電柱１内に侵入した雨水などにより電柱内部の鉄などの金属が腐食し、電柱１の構造が弱くなることを防止することができる。
【図面の簡単な説明】
【００６１】
【図１】本発明の一実施形態に係わる中空柱の排水機構を組み込んだ中空柱であるコンクリート製電柱の内部構造を示す図である。
【図２】図１に示す中空柱の排水機構の一部の断面を示す図である。
【図３】図１に示す中空柱の排水機構の一部の断面を示す図である。
【図４】図１に示す中空柱の排水機構に使用されている漏斗を示す正面図である。
【図５】図１に示す中空柱の排水機構に使用されている漏斗を示す斜視図である。
【図６】図１に示す中空柱の排水機構に使用されている上部パイプを示す斜視図である。
【図７】図１に示す中空柱の排水機構に使用されている連結パイプを示す斜視図である。
【図８】図１に示す中空柱の排水機構に使用されている固定連結部材または可動連結部材を示す斜視図である。
【図９】図１に示す中空柱の排水機構に使用されている排水部材を示す斜視図である。
【図１０】図１に示す中空柱の排水機構に使用されているガイド棒固定用治具を屈曲して開いた状態で示す斜視図である。
【図１１】図１に示す中空柱の排水機構に使用されているガイド棒固定用治具を細長く畳まれた状態で示す斜視図である。
【図１２】図１に示す実施形態の中空柱の排水機構が組み込まれた電柱を補強用棒状部材とモルタルなどで補強した状態のコンクリート製電柱の内部構造を示す図である。
【図１３】図８に示すように補強されたコンクリート製電柱に使用されている均等配置治具を示す斜視図である。
【図１４】図８に示すように補強されたコンクリート製電柱に使用されている別のガイド棒固定用治具を示す斜視図である。
【符号の説明】
【００６２】
１  電柱
１１  漏斗
１１ａ  開口部
１１ｂ  筒口
１３  上部パイプ
１５  連結パイプ
２１  中間パイプ
２５  連結パイプ
２７  長尺ガイドパイプ
３１  連結パイプ
３３  下部ガイドパイプ
３９  排水部材
３９ａ  受水口
３９ｂ  広口部
４３  ガイド棒固定用治具
４３ａ  上腕部材
４３ｂ  下腕部材
４５  固定連結部材
４９  可動連結部材
５１  連結部
１２１  アラミドロッド
１２３  PC鋼線
１４１  均等配置治具
２００  ガイド棒固定用治具
４０１  砕石
４０３  モルタル
【図１】
2010065444.tif 000003
【図２】
2010065444.tif 000004
【図３】
2010065444.tif 000005
【図４】
2010065444.tif 000006
【図５】
2010065444.tif 000007
【図６】
2010065444.tif 000008
【図７】
2010065444.tif 000009
【図８】
2010065444.tif 000010
【図９】
2010065444.tif 000011
【図１０】
2010065444.tif 000012
【図１１】
2010065444.tif 000013
【図１２】
2010065444.tif 000014
【図１３】
2010065444.tif 000015
【図１４】
2010065444.tif 000016